(57)【特許請求の範囲】
【請求項１】
基板の表面に対して下部に書類受け部を、外側の側面に幅規制部を立設し、これらの書類受け部並びに幅規制部の上面を表面板で覆って、上面並びに内側の側面を解放した書類収納部を形成すると共に基板の裏側には磁石板を固定した左枠部材、並びに、その内側の側面に対峙して使用する、同様な構成でなる右枠部材、との一対で構成される書類ラックと、その書類ラックを磁気吸着させる建造物等の壁面とで構成される書類収納機構であって、
上記書類ラックの上記左枠部材と上記右枠部材とに使用する夫々の磁石板は、水平方向に等間隔で縞状に多極着磁された同一のものを用い、夫々の書類受け部同士の上下方向の位置を一致させた状態で、同一磁極が水平方向に連続するように取り付けられており、
また、上記建造物等の壁面は、上記磁石板と同様に水平方向に等間隔で縞状に多極着磁された磁石製のものとなっていて、
この建造物等の壁面に対し、上記書類ラックの上記左枠部材と上記右枠部材とを水平方向に移動可能に磁気吸着させて使用することにより、書類を、その表面が展示された状態で上記書類収納部へ幅方向で挟持して収納させることを特徴とする書類展示収納機構
【請求項２】
左枠部材と右枠部材とにおける書類受け部は、夫々の内側の側面方向に、幅規制部は、夫々上端方向に、断面円形等の支柱で構成することを特徴とする請求項１に記載の書類展示収納機構
【請求項３】
左枠部材と右枠部材とは、夫々、書類受け部材と材幅規制部材とに分離して構成することを特徴とする請求項１に記載の書類展示収納機構
【請求項４】
書類受け部材と材幅規制部材とは、同一部材にて構成することを特徴とする請求項３に記載の書類展示収納機構
【発明の詳細な説明】
【技術分野】
【０００１】
本発明は、カタログや雑誌等の書類を、その表面が展示された状態で収納することができる書類展示収納機構に関するものである。
【背景技術】
【０００２】
従来から、書籍や雑誌等の書類を収納する機器としては、卓上用の本立てから各種の書棚や陳列棚に至るまで幅広くの収納機器が周知のものとなっている。
しかし、一般的に周知の本立ては、机上に設置して使われるため、机等の水平な設置台が必要となると共に、その設置台自体の各種作業の活用スペースを減らしてしまうという慢性的な不都合を有するものとなっている。
また、周知の書棚や陳列棚においては、大型となるため、高額の設備費が必要になると共に、これもまた、設置室内の有効スペースを損なうという慢性的な不都合を有するものとなっていた。
【０００３】
そのような背景の中、出願人は、慢性的な不都合を解消することを目的として、強磁性体製の壁面を利用する、磁気吸着型の本立て（特願２００８−３１７０９５）を先に出願している。
この発明の思想は、設置台や大型の設備を不要として経費削減が可能となると共に、有効スペースを増やすことができるという利点があり、今後も、このような思想での製品開発を期待する状況にあるものと思料される。
【発明の概要】
【発明が解決しようとする課題】
【０００４】
先に述べた出願人の発明に係る、磁気吸着型の本立て（特願２００８−３１７０９５）は、強磁性体製でなる壁面に磁気吸着で取り付ける一対の側板と、それらを連結する目的を兼ねた底板とからなる構成であるため、簡単な構成で実施できるという特徴がある。
【０００５】
しかし、収納できるスペースは自ずと底板の大きさ以内という制限があると共に、各書類は、安定を考えると背表紙側が正面となるように設置することになるため書類の表面或いは裏面の全体を見ることができず、展示して収納する用途には不向きなものとなっていた。
【０００６】
そこで、本発明は、磁気吸着型の本立て（特願２００８−３１７０９５）の特徴であるところの収納機器を小型化して設置スペースを減らすことができるようにすると共に、書類の表面或いは裏面の全体表示を可能とし、しかも、書類の幅方向の収納スペースを増加させることができる、書類展示収納機構を提供することを課題とする。
【課題を解決するための手段】
【０００７】
本発明は、基板の表面に対して下部に書類受け部を、外側の側面に幅規制部を立設し、これらの書類受け部並びに幅規制部の上面を表面板で覆って、上面並びに内側の側面を解放した書類収納部を形成すると共に基板の裏側には磁石板を固定した左枠部材、並びに、その内側の側面に対峙して使用する、同様な構成でなる右枠部材、との一対で構成される書類ラックと、その書類ラックを磁気吸着させる建造物等の壁面とで構成される書類収納機構であり、書類ラックの左枠部材と右枠部材とに使用する夫々の磁石板は、水平方向に等間隔で縞状に多極着磁された同一のものを用い、夫々の書類受け部同士の上下方向の位置を一致させた状態で、同一磁極が水平方向に連続するように取り付けられており、また、建造物等の壁面は、磁石板と同様に水平方向に等間隔で縞状に多極着磁された磁石製のものとなっていて、この建造物等の壁面に対し、書類ラックの左枠部材と右枠部材とを水平方向に移動可能に磁気吸着させて使用することにより、書類を、その表面が展示された状態で書類収納部へ幅方向で挟持して収納させる書類展示収納機構とすることで実現させることができる。
【０００８】
この構成によれば、書類ラックを、建造物等の壁面に対して直接取り付けることになるので、書類ラック用の設置台や棚等の設備が不要で経済的であると共に、収納機器自体の小型化により、設置空間、例えば室内等の有効スペースが広くなるという利点がある。
【０００９】
また、書類ラックも、左枠部材と右枠部材を一対にして使用する構成であるため、収納する書類の左右を支える最低限の幅があれば良いので、小型化が可能となり、コストダウンを実現させることができる。
【００１０】
さらに、書類ラックと建造物等の壁面とは、水平方向に等間隔で縞状に多極着磁された磁石同士を磁気吸着させる構成となっているので、接触面同士は異極で確実に磁気吸着にて接合されて上下方向には極めて強い取り付け力が発生するが、一方で、左右方向は移動させることができるという特性があるので、一旦設置した後は、収納書物の取り換えが簡単にできるという利点があり、また、各種の幅の書物を収納することができ、さらに、書物の表面も展示させることができるという利点もある。
【００１１】
なお、この構成においては、左枠部材と右枠部材とにおける書類受け部は、夫々の内側の側面方向に、幅規制部は、夫々上端方向に、断面円形等の支柱を設けることにより構成してもよい。
このようにすると、材料代のコストダウンや、軽量化をさせることができるという利点がある
【００１２】
また、本発明の左右方向の移動が可能であるという特性を利用すると、左枠部材と右枠部材とは、夫々、書類受け部材と材幅規制部材とに分離して構成することも可能であり、さらなる材料の削減や、利便性の向上に役立つことになる。
【００１３】
その場合には、書類受け部材と材幅規制部材とは、同一部材にて構成すれば、さらに生産性の向上や利便性の向上に繋がることになる。
【発明の効果】
【００１４】
本発明は、簡単な構造の書類ラックを、建造物等の壁面に磁気吸着させる構成となっているため、小型の設備で書類を収納することができ、生産コストを抑えることができると共に、設置スペースの減少により、室内等の利用スペースを増加させることができる。
【００１５】
また、書類ラックは、左枠部材と右枠部材を一対にして使用し書類の左右を受ける構成となっているので、全体を受ける構成のものより小型化させることができ、材料代の節減や軽量化を図ることができる。
【００１６】
さらに、書類ラックと建造物等の壁面とは、水平方向に多極着磁された磁石同士で磁気吸着しているので、書類ラックにおける左枠部材と右枠部材とは、水平方向に移動させることができ、一旦取り付けた後は、収納する書類の取り換えが簡単で、しかも、各種の幅の書物を、表面が展示されるようにして収納することができる。
【図面の簡単な説明】
【００１７】
【図１】本発明に使用する実施例１の書類ラックの斜視図を表したものであり、（ａ）は正面から見た状態、（ｂ）は背面から見た状態を示す。
【図２】本発明に使用する実施例２の書類ラックの斜視図を示す。
【図３】本発明に使用する実施例３の書類ラックの斜視図を示す。
【図４】本発明による書類展示収納機構についての説明図であり、（ａ）は平面図、（ｂ）は拡大断面図を示す。
【図５】本発明による書類展示収納機構における使用手順図であり、（ａ）は初期状態、（ｂ）は水平移動状態、（ｃ）は書類挿入状態、（ｄ）は書類収納完了状態、（ｅ）は幅広の書類収納状態を示す。
【図６】本発明による書類展示収納機構における書類を取り付けた状態を表したものであり、（ａ）は実施例１を使用した場合の斜視図、（ｂ）は実施例１を使用した場合の拡大部分Ｌ−Ｍ断面図、（ｃ）は実施例３を使用した場合の斜視図、（ｄ）は実施例３を使用した場合の拡大部分Ｐ−Ｑ断面図を示す。
【図７】本発明に使用する実施例４の書類ラックを表したものであり、（ａ）は使用方法を説明した斜視図、（ｂ）は書類を取り付けた状態の斜視図を示す。
【図８】本発明に使用する実施例５の書類ラックブロックの実施例並びに変形例の斜視図を表したものであり、（ａ）は実施例５、（ｂ）は実施例５の変形例１、（ｃ）は実施例５の変形例２、（ｄ）は実施例５の変形例３を示す。
【図９】本発明に使用する実施例５の書類ラックブロックにて書類を取り付けた状態の斜視図を示す。
【図１０】本発明に使用する実施例５の書類ラックブロックの変形例の分解斜視図を表したものであり、（ａ）は変形例４、（ｂ）は変形例５を示す。
【発明を実施するための形態】
【００１８】
本発明は、カタログや雑誌等の書類を収納する書類ラックを、左右一対の枠部材で構成し、建造物等の壁面に対して磁気吸着力で確実に取り付けつつ、水平方向には正確に移動させることを可能とさせたことにより実現した書類展示収納機構であり、以下、実施例に沿って、詳細に説明する。
【実施例１】
【００１９】
図１は、本発明に使用する実施例１の書類ラックの斜視図を表したものであり、図１（ａ）は、正面から見た状態、図１（ｂ）は、背面から見た状態を示している。
書類ラック１は、夫々、背面に磁石板を接着剤等で貼着させたアクリル樹脂等の合成樹脂製で、幅６４ｍｍ、高さ２２５ｍｍ、奥行３７ｍｍ程度の大きさでなる、左枠部材２ａと右枠部材２ｂとの一対で構成される。
そして、夫々の枠部材は、厚さ３ｍｍ程度の板状でなる、基板３ａ，３ｂ、書類受け部４ａ，４ｂ、幅規制部５ａ，５ｂ、表面板６ａ，６ｂ、並びに厚さが１ｍｍ程度の磁石板７ａ，７ｂとで構成されている。
具体的には、基板３ａ，３ｂの表面の下部に書類受け部４ａ，４ｂ、外側の側面に幅規制部５ａ，５ｂが立設され、さらに、その上面を表面板６ａ，６ｂで覆うように構成され、それにより、上方並びに内側の側面が解放された書類収納部８ａ，８ｂが形成されている。
ちなみに、磁石板７ａ，７ｂの大きさは、図１（ｂ）に示すように、基板３ａ，３ｂからはみ出さないように若干小さく形成するのが好ましい。
その結果、図１（ａ）においては、磁石板７ａ，７ｂが外観上見えない状態となっている。
【００２０】
なお、磁石板７ａ，７ｂは、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製マグネット等、適宜の材料のマグネットが用いられ、基板３ａ，３ｂの背面に接着材にて貼着して用いられる。
【００２１】
但し、この磁石板７ａ，７ｂは、図１（ｂ）に表わされるように、水平方向に着磁ピッチ２．５ｍｍ程度の等間隔で縞状に多極着磁されたものを使用しており、左枠部材２ａと右枠部材２ｂの完成状態で、同一磁極が水平方向に連続するように、高さ方向の位置合わせがなされた状態で使用する。
なお、この場合に、磁石板の上下の磁極は同極（図面はＮ極）としておくのが好ましく、こうすることにより、互換性が生じ、貼着時に上下の方向性を気にしなくてもよいことになる。
【００２２】
本発明における書類ラックの形態は、各種に変形して実施することができるので、重複部分は省略して、以下に説明する。
なお、構成部材のうち、磁石部材は、上述した実施例1のように、正面から見た斜視図には外観上は見えないことがあるので、各実施例において記載しているように、図示は省略して説明することとする。
【実施例２】
【００２３】
図２は、実施例２の斜視図を表したものであり、実施例１における書類受け部並びに幅規制部の形態を変形させてものとなっている。
即ち、書類ラック１１は、左枠部材１２ａと右枠部材１２ｂとの一対で構成されており、夫々の枠部材は、厚さ３ｍｍ程度の板状でなる、基板１３ａ，１３ｂ、表面板１６ａ，１６ｂ、並びに図示しない厚さが１ｍｍ程度の磁石板の構成要素は、実施例１と同様であるが、書類受け部１４ａ，１４ｂは内側方向に、幅規制部１５ａ，１５ｂは外側の上方の位置に円形の支柱形状にて形成している。
この構成は、書類収納部１８ａ，１８ｂの外側の下部方向が開放されるので高さの低い特殊サイズの書類は外れやすくなるが、汎用のサイズの書類であれば、全く問題はなく、材料の削減や軽量化に適した構成となっている。
なお、左枠部材１２ａと右枠部材１２ｂは、上下を逆にしても同じ状態になり、左右を置き換えて上下を逆に回転させると、図２の状態となる、即ち、互換性があるので、同じものを２個使用することができるため、生産性が向上する利点がある。
【実施例３】
【００２４】
図３は、実施例３の斜視図を表したものであり、実施例２における表面板の表面積を減少させた形態となっている。
具体的には、書類ラック２１は、左枠部材２２ａと右枠部材２２ｂとの一対で構成されており、基板２３ａ，２３ｂ、書類受け部２４ａ，２４ｂ、幅規制部２５ａ，２５ｂ、並びに基板２３ａ，２３ｂの裏面に貼着される図示しない磁石板は、実施例２と同じであるが、表面板２６ａ，２６ｂが左右対称の略Ｌ字形状となっている点が異なっていることになる。
この構成は、実施例２とほぼ同様な性質をもっているが、面積を減らしたことで、材料代のコストダウンや軽量化、さらには書類収納部２８ａ，２８ｂに収納した書類の表示が見やすくなる利点が生じている。
なお、完成状態における左枠部材２２ａと右枠部材２２ｂとは、互換性がない点で実施例２と異なるが、各構成部を接着で取り付けて製造する場合は、配置や表裏を変更すれば同様な形態となるので、この場合においては、部材の互換性も生じる利点が残ることになる。
【００２５】
次に、建造物等の壁面の構成、並びに、上述した実施例１による書類ラックを使用した場合の書類展示収納機構について、図４（ａ）の平面図、図４（ｂ）の拡大断面図、図５（ａ）〜（ｅ）の使用手順図を用いて説明する。
【００２６】
構造物等の壁面Ｗは磁石製となっていて、図４（ｂ）の拡大断面図に示すように基礎壁面Ｔに対して接着等の適宜の手段で取り付けられ、表面には、Ｗａで示す樹脂フィルム等の保護皮膜をコーティングしている。
【００２７】
なおこの磁石は、各実施例における磁石板と同様に、フェライト系、マンガン・アルミニウム系、サマリウム・コバルト系、ネオジウム・鉄・ホウ素系、サマリウム・鉄・窒素系等の硬質磁性材料からなる磁石材料微粉末を有機高分子エラストマーに練り込み着磁された樹脂製マグネット等、適宜の材料のマグネットが用いられる。
【００２８】
そして、この磁石の着磁状態は、図４（ａ）に示すように、図１（ｂ）で表わした実施例１の書類ラック１に用いられる磁石板７ａ，７ｂと同様で同一着磁ピッチでなる、水平方向に等間隔で縞状に多極着磁されたものを使用している。
【００２９】
従って、図４（ｂ）で表わすように、前述したところの書類ラック１における、背面に磁石板７ａを貼着し、基板３ａ、書類受け部４ａ、幅規制部５ａで構成され書類収納部８ａを有する左枠部材２ａの背面を、建造物等の壁面Ｗに近付けると、磁石板７ａは、Ｎ極とＳ極との異極で確実に磁気吸着することになる。
但し、この縞状の多極着磁間の磁気吸着は、確実で強い磁気吸着力が得られる一方で、着磁方向、即ち今回は水平方向に移動が可能という特性をもっている。
従って、図４（ａ）の平面図に表わされるように、書類ラック１の左枠部材２ａと右枠部材２ｂとは、矢印で示すように、異極同士で強く磁気吸着された状態で、水平方向に確実に移動させることができる。
【００３０】
本発明は、この作用を利用した書類展示収納機構であり、次に具体的な使用方法に図５（ａ）〜（ｅ）を用いて説明する。
但し、図５（ａ）以外については、建造物等の壁面Ｗの記載を省略して説明することとする。
【００３１】
先ず、図５（ａ）の初期状態に示すように、左枠部材２ａと右枠部材２ｂとを、書類受け部４ａ，４ｂの上下方向の位置が同一になるように対峙させた状態で、建造物等の壁面Ｗに磁気吸着させる、
次に、図５（ｂ）の水平移動状態に示すように、左枠部材２ａと右枠部材２ｂとの間隔が広がるようにいずれか一方あるいは両方を水平方向に移動させる。
そして、図５（ｃ）の書類挿入状態に示すように、片方の枠部材（図では左枠部材２ａ）の書類収納部（図では８ａ）に、カタログや雑誌等の書類Ｋを表紙等の表面Ｋａが見える状態で挿入し、他方の枠部材（図では右枠部材２ｂ）を、書類Ｋを挟み込む方向にスライドさせると、図５（ｄ）のように、書類Ｋの表面Ｋａを展示した状態で書類ラック１に収納されることになる。（斜視図は図６（ａ）、断面図は図６（ｂ）参照）
【００３２】
このように、本発明による書類展示収納機構は、簡単な操作で確実に、書類Ｋの表面Ｋａを展示した状態で書類ラック１に収納することができる。
また、左枠部材２ａと右枠部材２ｂとを水平移動に移動させる構成であるため、書類の幅の違いにも対応することができ、例えば図５（ｅ）のような幅広の書類Ｋｂにも対応させることができ、逆に図示はしないが幅狭のものにも対応が可能である。
さらに、本発明においては、一旦左枠部材２ａと右枠部材２ｂを正常位置にセットすると、幅の違う書類の差し替えは、いずれかの枠部材を水平移動させるだけで簡単に実施できるという利点もある。
【００３３】
図６は、本発明による書類展示収納機構における、書類Ｋを構造物等の壁面Ｗに取り付けた状態を表したものであり、図６（ａ）は実施例１の書類ラック１を使用した場合の斜視図、図６（ｂ）は実施例１の書類ラック１を使用した場合の拡大部分Ｌ−Ｍ断面図を示している。
また、図６（ｃ）は実施例３の書類ラック２１を使用した場合の斜視図、図６（ｄ）は実施例３の書類ラック２１を使用した場合の拡大部分Ｐ−Ｑ断面図を示している。
このうち、実施例３の書類ラック２１の使用状況から、本発明による書類展示収納機構に使用する書類ラックは、書類受け部並びに幅規制部が、１４ａ，１４ｂ，１５ａ，１５ｂで表わされているような支柱状の部分的なものでよく、それさえ確保すれば、書類ラックの構成自体も、さらに変化させてもよいことが判る。
【実施例４】
【００３４】
図７は、実施例４を表したものであり、図７（ａ）は使用方法を説明した斜視図、図７（ｂ）は書類を取り付けた状態の斜視図を示している。
実施例４における書類ラック３１は、左枠部材３２ａと右枠部材３２ｂとの一対で構成されるが、各枠部材は、夫々、書類受け部材３４ａ，３４ｂ、幅規制部材３５ａ，３５ｂの２部材で構成されている。
なお、書類受け部材３４ａ，３４ｂは、基板部３４ｃ，３４ｄ、底面部３４ｅ，３４ｆ、正面部３４ｇ，３４ｈと、図示しない、これまでの実施例と同様に着磁された磁石板で構成されている。
また、そして、幅規制部材３５ａ，３５ｂは、基板部３５ｃ，３５ｄ、側面部３５ｅ，３５ｆ、正面部３５ｇ，３５ｈと、図示しない、これまでの実施例と同様に着磁された磁石板で構成されている。
【００３５】
なお、本実施例においては、書類受け部材３４ａ，３４ｂ並びに幅規制部材３５ａ，３５ｂは、夫々互換性があるので、同一の書類受け部材並びに幅規制部材を２個づつ使用することができる。
【００３６】
そして、これらの、書類受け部材３４ａ，３４ｂ並びに幅規制部材３５ａ，３５ｂは、夫々が、図７（ａ）に示すように水平方向に移動が可能となっているので、図７（ｂ）に示すように、書類Ｋを、左右で挟着し、下面はバランスの良い２か所の位置で支えることができるという利点を、生じせしめることができる。
【実施例５】
【００３７】
なお、実施例４をさらに追及していくと、本発明による書類展示収納機構に使用する書類ラックは、書類受け部材並びに幅規制部材自体を小型化及び共通化させ、さらに左枠部材と右枠部材を区別することなく使用する、即ち、同一部材を４つ使って実施する構成にたどりつくことができる。
【００３８】
図８は、書類ラックの実施例５として、書類受け部材並びに幅規制部材を共通化したところの書類ラックブロックの実施例並びに変形例を表したものであり、図９は実施例５にて書類を取り付けた状態の斜視図を示している。
図８（ａ）は、実施例５の書類ラックブロックの斜視図を表したものであり、書類ラックブロック４１は、略正方形の基板４３と表面板４６との中央を書類受けボス４４で連結して一体化し、図示しない、これまでの実施例と同様に着磁された磁石板を基板４３の背面に接着等で貼着して構成されている。
なお、書類受けボス４４は、書類の受け部と、幅規制部の両方の機能をもち、その周囲全体が書類収納部４８を構成することになる。
【００３９】
そして、図９の書類を取り付けた状態の斜視図に示すように、書類ラックブロック４１を４個使うことにより、書類ラックを構成することになる。
なお、この構成による書類ラックは、小型の共通部材を複数使うだけで済むため、部品材料が少なくて済み、生産性も優れたものとなる。
【００４０】
なお、書類ラックブロック４４を使って書類ラックを構成する場合は、数を４個に限ることなく、書類の形状大きさに合わせて自由な数で、自由な配置で実施することが可能となるという利点も生じることになる。
【００４１】
図８（ｂ）〜（ｄ）は、実施例５の書類ラックブロックの変形例を表したものである。
夫々、裏面に貼着される磁石板については説明を割愛するが、図８（ｂ）は、実施例５の変形例１を表したものであり、書類ラックブロック５１は、円形の基板５３と表面板５６との中央を書類受けボス５４で連結したものとなっている。
【００４２】
また、図８（ｃ）は、実施例５の変形例２を表したものであり、書類ラックブロック６１は、円形の基板６３と表面板６６における中心から偏心した位置に書類受けボス６４で連結したものとなっている。
そして、図８（ｄ）は、実施例５の変形例３を表したものであり、書類ラックブロック７１は、略正方形の基板７３と表面板７６における中心から偏心した位置に書類受けボス７４で連結したものとなっている。
このように、書類ラックブロックの形態は自由な形状で実施してよく、書類受けボスの位置も任意に設定できる。
但し、本発明による書類展示収納機構は、磁石製の構造物等の壁面に施された水平方向の多極着磁に対して磁気吸着させるものであるため、書類受けボスの位置を偏心させる場合は、その特性を配慮して実施する必要がある。
【００４３】
本発明は、これまで説明した時実施例や変形例に限ることなく、その趣旨を逸脱しない範囲で各種に変形して実施することができる。
例えば、図１０（ａ）に表わす、実施例５の変形例３を使って説明するところの変形例４の分解斜視図のように、書類ラックブロック７１ａは、基板７３ａと表面板７６ａと書類受けボス７４ａとを接着剤で接着して形成してもよい。
また、２部材で構成する場合には、例えば図１０（ｂ）に示す変形例５の分解斜視図のように、書類ラックブロック７１ｂは、表面板７６ｂと書類受けボス７４ｂとを一体化したものを、基板７３ｂに接着してもよい。
なおその際には、書類受けボス７４ｂの形状を断面正方形にして、基板７３ｂに同形状の凹部７３ｃを形成しておくと、位置決めがしやすくなるので好適である。
【００４４】
このように、本発明における各部材は、一体成型で実施をしてもよいし、表面板に透明材料を使い他の部材を不透明等にしたい場合は、各部材を単独で作製して接着したり、二色成型機で作製したり適宜の方法で実施することができる。
また、基板や表面板の形状や、支柱並びに受けボスの形状も円形に限らず適宜の形状で実施してもよい。
【産業上の利用可能性】
【００４５】
本発明による書類展示収納機構は、簡単な構成でありながら、小さな設置スペースで、カタログ等の書類を楽な操作で確実に取り付けることができる。
従って、一般家庭から、教育機関、公共機関や各種企業等に至るまで、幅広く活用することが可能である。
【符号の説明】
【００４６】
Ｎ  磁石のＮ極
Ｓ  磁石のＳ極
Ｋ  書類
Ｋａ  （書類の）表面
Ｋｂ  幅広の書類
Ｔ  基礎壁面
Ｗ  構造物等の壁面
Ｗａ  保護皮膜
１、１１、２１、３１  書類ラック
２ａ、１２ａ、２２ａ、３２ａ  左枠部材
２ｂ、１２ｂ、２２ｂ、３２ｂ  右枠部材
３ａ、３ｂ、１３ａ、１３ｂ、２３ａ、２３ｂ  基板
４ａ、４ｂ、１４ａ、１４ｂ、２４ａ、２４ｂ  書類受け部
５ａ、５ｂ、１５ａ、１５ｂ、２５ａ、２５ｂ  幅規制部
６ａ、６ｂ、１６ａ、１６ｂ、２６ａ、２６ｂ  表面板
７ａ、７ｂ  磁石板
８ａ、８ｂ、１８ａ、１８ｂ、２８ａ、２８ｂ  書類収納部
３４ａ、３４ｂ  書類受け部材
３５ａ、３５ｂ  幅規制部材
３４ｃ、３４ｄ、３５ｃ、３５ｄ  基板部
３４ｅ、３４ｆ  底面部
３４ｇ、３４ｈ、３５ｇ、３５ｈ  正面部
３５ｅ、３５ｆ  側面部
４１、５１、６１、７１、７１ａ、７１ｂ  書類ラックブロック
４３、５３、６３、７３、７３ａ、７３ｂ  基板
４６、５６、６６、７６、７６ａ、７６ｂ  表面板
４４、５４、６４、７４、７４ａ、７４ｂ  書類受けボス
４８  書類収納部
７３ｂ  凹部
【図１】
0005275290.tif 000002
【図２】
0005275290.tif 000003
【図３】
0005275290.tif 000004
【図４】
0005275290.tif 000005
【図５】
0005275290.tif 000006
【図６】
0005275290.tif 000007
【図７】
0005275290.tif 000008
【図８】
0005275290.tif 000009
【図９】
0005275290.tif 000010
【図１０】
0005275290.tif 000011